(57)【要約】【課題】  データベース検索のための快適な方法及び装置が要求されている。よって、インタフェース記述子を含むデータベースへのアクセスの概念を提案する。【解決手段】  インタフェース記述子は、インタフェースカテゴリとデータベースへのアクセス方法を記述するＸＭＬファイルである。データベースインタフェース設備は、標準的なカテゴリの表示方法と、標準的なデータベースアクセス方法から成る。データベースへのインタフェース設備は、データベースへのカテゴリによるインタフェースの設定と、完全なデータベースの検索を実行するために、インタフェース記述子に含まれる定義を使用することができる。
2006513470.tif 000002
【特許請求の範囲】
【請求項１】
データベース（１）の検索基準を定義する少なくとも１つのカテゴリ項目を提示（４）するステップと、
前記少なくとも１つのカテゴリ項目から１つ以上を選択するステップと、
記選択した１つ以上のカテゴリ項目により前記データベース（１）を検索（６）するステップと、
を有するデータベース（１）へのアクセス方法において、
データベースへのアクセスに共通して利用可能であるインタフェース記述子の手段により、前記少なくとも１つのカテゴリ項目を提供することを特徴とするデータベースアクセス方法。
【請求項２】
前記インタフェース記述子の手段（８）は、標準的なプログラミング言語で記述されたソフトウェアユニットである請求項１に記載の方法。
【請求項３】
前記標準的なプログラミング言語は、ＸＭＬである請求項２に記載の方法。
【請求項４】
複数のカテゴリ項目が提供され、前記複数のカテゴリ項目の少なくとも１つのカテゴリ項目が、１つ以上のサブカテゴリ項目を含む請求項１から３のいずれか１項に記載の方法。
【請求項５】
前記少なくとも１つのカテゴリ項目は、結合した検索基準を含む請求項１から４のいずれか１項に記載の方法。
【請求項６】
前記データベースは、メタデータのデータベースである請求項１から５のいずれか１項に記載の方法。
【請求項７】
データベース（１）の検索基準を定義する少なくとも１つのカテゴリ項目を提示（４）する表示手段と、
前記少なくとも１つのカテゴリ項目から１つ以上を選択するために、前記表示手段に連結する選択手段と、
前記選択した１つ以上のカテゴリ項目によりデータベース（１）を検索（６）するために、選択手段と連結する検索手段と、
を有するデータベースへのアクセス装置において、
前記表示手段は、前記少なくとも１つのカテゴリ項目を提供する外部のインタフェース記述子の手段（８）に接続可能であることを特徴とするアクセス装置。
【請求項８】
前記インタフェース記述子の手段は、標準的なプログラミング言語で記述されたソフトウェアユニットである請求項７に記載の装置。
【請求項９】
前記標準的なプログラミング言語は、ＸＭＬである請求項８に記載の装置。
【請求項１０】
前記外部のインタフェース記述子の手段（８）は、検索基準として複数のカテゴリ項目を含み、前記複数のカテゴリ項目の少なくとも１つのカテゴリ項目が、１つ以上のサブカテゴリ項目を含む請求項７から９のいずれか１項に記載の装置。
【請求項１１】
前記少なくとも１つのカテゴリ項目は、結合した検索基準を含む請求項７から１０のいずれか１項に記載の装置。
【請求項１２】
前記データベースは、メタデータのデータベースである請求項７から１１のいずれか１項に記載の装置。
【発明の詳細な説明】
【技術分野】
【０００１】
本発明は、データベースの検索基準を定義する、少なくとも１つのカテゴリ項目を提示し、前記少なくとも１つのカテゴリ項目から１つ以上を選択し、選択した１つ以上のカテゴリ項目によりデータベースを検索するステップを含む、データベースへのアクセス方法に関する。更に、本発明は、対応するデータベースへのアクセス装置に関する。
【背景技術】
【０００２】
データベース内の所望のデータを検索するために、３つの方法が可能である。１）データベース内の総てのデータを閲覧して所望のデータを見つける。２）キーワードの入力によりデータベースに質問する。３）予め定義した幾つかのカテゴリに基づきデータベース内を検索する。
【０００３】
方法１の利点は、データベースの総てのデータを閲覧できることである。方法１の欠点は、大きいデータベースの場合には非効率になることである。方法２の利点は、キーワードにより素早くデータベースに質問できることである。方法２の欠点は、間違ったキーワードが使用された場合に、所望の結果を見つけることが保障されないことである。方法３は、方法１及び２の利点を兼ね備えている。方法３は、データベース内の総てのデータを分類するため、そして総てのデータにアクセスするために、予め定義したカテゴリ（キーワード）を使用する。方法３の使用により、利用者は、総てのデータベース内のデータから、効果的に所望のデータを検索できる。方法３の欠点は、カテゴリ定義と、それに関連するデータベースへのアクセスの実行を、データベースインタフェース設備に予め組み込む必要があることである。もし、利用者が、インタフェース設備の、カテゴリ及び／又はデータベースアクセス方法を更新したい場合、関連するソフトウェア及びハードウェアを更新する必要がある。
【０００４】
特許文献１は、データベースに保存されたデータにアクセスするインタフェースシステムを開示している。インタフェースは、データベースを構造的に定義するデータ辞書と、記述子を定義するインタフェース辞書とを有する。インタフェース記述子は修正でき、また、新しい記述子を追加することができる。検索を実行するとき、インタフェース記述子は、データベースで定義された辞書と結合される必要がある。一般的に、インタフェースを定義する記述子が修正され、又は、新しい記述子が追加されたとき、データベース自体も修正される。
【０００５】
更に、特許文献２は、データベースと、カテゴリ定義辞書とを有するデータ管理システムを開示している。カテゴリ定義辞書は、様々な時間周期でカテゴリを定義する。これらの定義は、データがデータベースから検索されるときに使用される。カテゴリ定義は、第１のカテゴリから第２のカテゴリの生成の再分類を追跡するために使用される。カテゴリの追加は、開示されていない。
【０００６】
【特許文献１】国際公開第０２／１５０４７号パンフレット
【特許文献２】米国特許第６０２６３３３号明細書
【発明の開示】
【発明が解決しようとする課題】
【０００７】
従って、本発明は、データベースへのアクセスの、より快適な更新を提供することを目的とする。
【課題を解決するための手段】
【０００８】
本発明によれば、データベースの検索基準を定義する少なくとも１つのカテゴリ項目を提示し、前記少なくとも１つのカテゴリ項目から１つ以上を選択し、前記選択した１つ以上のカテゴリ項目によりデータベースを検索するステップを含み、前記少なくとも１つのカテゴリ項目は、データベースへのアクセスに共通して利用可能であるインタフェース記述子により提供される、データベースへのアクセス方法が提供される。
【０００９】
更に、本発明によれば、上述した目的は、データベースの検索基準を定義する少なくとも１つのカテゴリ項目を提示する表示手段と、前記少なくとも１つのカテゴリ項目から１つ以上を選択するために、前記表示手段に連結する選択手段と、前記選択した１つ以上のカテゴリ項目によりデータベースを検索するために、前記選択手段と連結する検索手段とを有し、前記表示手段は、前記少なくとも１つのカテゴリ項目を提供する外部のインタフェース記述子に接続可能であるデータベースへのアクセス装置により解決される。
【００１０】
即ち、データベースへのアクセスのためのインタフェース記述子の概念が提案される。インタフェース記述子は、インタフェースのカテゴリと、データベースへのアクセス方法を記述したＸＭＬファイル又は他の標準的なプログラミング言語のファイルである。その様に構成されたデータベースへのインタフェース設備は、標準的なカテゴリの表示方法と、標準的なデータベースアクセス方法を含み、しかしながら、それらは、データベースへのカテゴリによるインタフェースと、完全なデータベースの検索を行うためにインタフェース記述子の定義を使用することができる。その様なインタフェース記述子を利用する利点は、利用者がインタフェースカテゴリとデータベースアクセス方法を更新したい場合、インタフェース設備のハードウェア及びソフトウェアを変更する必要がないということである。利用者は、ＸＭＬスキーマに基づくインタフェース記述子のみを更新すればよい。インタフェース記述子は、サブカテゴリ項目と、単一カテゴリ項目内での結合した検索基準とにより複雑なデータベースアクセス方法を定義することが可能である。この様に、メタデータのデータベースといった、大きなデータベースを快適に検索することができる。
【発明を実施するための最良の形態】
【００１１】
本発明について、以下では図面を用いて詳細に説明する。
【００１２】
本発明の好ましい実施形態についての例を以下に述べる。しかしながら、本発明のより良い理解のために、まず図１を用いて、従来技術のカテゴリによるデータベースアクセスの利用について説明する。
【００１３】
伝統的に、データベース１は、インタフェース設備２によりアクセスされる。予め定義されたカテゴリ項目５は、グラフィカルユーザインタフェース（ＧＵＩ）３を経由して関連する表示方法４により表示される。これらのカテゴリ項目５は、インタフェース設備２のカテゴリクラス中で定義される。カテゴリ項目５は、インタフェース設備２の固定的な部分である。個々のカテゴリ項目５について、関連する個々のデータベースへのアクセス方法６が定義され、又は、総てのカテゴリ項目は一般的なデータベースへのアクセス方法６を共用する。
【００１４】
このように、従来技術によるアクセス方法は以下のステップを持つ。利用者は、データベース１のカテゴリを閲覧し、カテゴリ項目を選択し、現在のカテゴリ項目により定義されるアクセス方法６によりデータベース１を検索する。
【００１５】
上述したように、この伝統的なデータベースへのカテゴリによるアクセス方法（図１）の欠点は、定義されたカテゴリと、それに関するデータベースへのアクセスの実現方法を、データベースへのインタフェース設備２に予め組み込んでおく必要があることである。利用者が、インタフェース設備２のカテゴリと、データベースへのアクセス方法を更新したい場合、関連するソフトウェアとハードウェアを更新する必要がある。
【００１６】
この欠点を解決するために、本発明によると、インタフェース記述子に基づく、データベースへのカテゴリによるアクセス方法を提案する。
【００１７】
図２に示す様に、データベース１は、インタフェース設備２によりアクセスされる。インタフェース設備２は、ＧＵＩ（グラフィカルユーザインタフェース）３と、標準的なカテゴリの表示方法４と、標準的で、一般的なデータベースへのアクセス方法６と、幾つかの特別なデータベースへのアクセス方法７とを有する。しかし、インタフェース設備２は、カテゴリ定義手段を持たない。インタフェース設備２は、インタフェース設備２外部のインタフェース記述子８からカテゴリの定義を取り込む。ＧＵＩ３は、インタフェース記述子８からカテゴリメッセージを取り込むために、標準的なカテゴリの表示方法４を利用する。利用者が選択したカテゴリで、データベース１の検索をするとき、インタフェース設備２は、インタフェース記述子８から、関連するアクセス方法メッセージを取り込まなければならない。インタフェース記述子からのアクセス方法メッセージの指示に従い、インタフェース設備２は、標準的なデータベースへのアクセス方法６又は特別なデータベースへのアクセス方法７をデータベース１の検索に使用する。
【００１８】
好ましくは、インタフェース記述子は、ＸＭＬスキーマにより定義されるＸＭＬファイルである。図３は、現在のインタフェース記述子のスキーマ設計図である。
【００１９】
図３（ａ）に示す様に、ルートエレメントは、“インタフェース記述子”である。それは、２つの属性“バージョン”（必須）と、“作者”（オプション）を持つ。属性“バージョン”は、現在のインタフェース記述子のバージョンメッセージを含む。バージョンメッセージは、ＧＵＩに、カテゴリの表示や、データベースの検索のために関連するアプリケーションを使用させるようにする。属性“作者”は、現在のインタフェース記述子の開発者を表示する。
【００２０】
ルートエレメント“インタフェース記述子”は、１つ以上のサブエレメント“アクセス方法”（最小１で、最大は制限なし）を含む。これは、“インタフェース記述子”と“アクセス方法”間のシンボルで示される。各“アクセス方法”は、データベースへのアクセス方法の名前である属性“名前”（必須）を含む（図３（ａ）参照。）。
【００２１】
各“アクセス方法”は、１つ以上のサブエレメント“カテゴリ” （最小１で、最大は制限なし）を含む。各“カテゴリ”は、属性“名前”（必須）と、“カウンタ”（オプション）を含む。属性“名前”は、表示されるカテゴリの名前を含む。属性“カウンタ”は、最後の検索結果の番号を含む（図３（ａ）参照。）。
【００２２】
図３（ｂ）に示す様に、エレメント“カテゴリ”は、グローバルエレメントであり、１つ以上のサブエレメント“検索テキスト”（最小１で、最大は制限なし）と、オプションで１つ以上のサブエレメント“カテゴリ”（最小１で、最大は制限なし）を含む。エレメント“検索テキスト”は、属性“種別”（必須）、“テキスト”（オプション）及び“モード”（オプション）を含む。属性“種別”は、例えば、テレテキストのページといった、検索テキストの種別を定義する。現在、その値は、“エレメント”、“属性”、“値”又は“なし”から選択される。属性“テキスト”は、例えば、テレテキストのページの特定の番号といった、検索のためのキーワードを含む。各“カテゴリ”は、無制限の“検索テキスト”を持つことができ、このことは、各“カテゴリ”が、検索のために１つ以上のキーワードを持つことができることを意味する。属性“モード”は、特別なデータベースへのアクセス方法７の名前を表現する。ディフォルトでは、標準的で、一般的なアクセス方法が使用される。他の場合には、特別なアクセス方法７が使用される。各“カテゴリ”は、サブエレメント“カテゴリ”を持つことができる。
【００２３】
図３（ｃ）に示す様に、エレメント“検索テキスト”は、グローバルエレメントであり、０又は１つ以上のサブエレメント“検索テキスト”（最小０で、最大は制限なし）を含む。サブエレメント“検索テキスト”は、親エレメント“検索テキスト”と同じスキーマである。この構造は、検索結果の絞込みを可能とする。
【００２４】
（アプリケーション例）
インタフェース記述子に基づく、カテゴリによるデータベースへのアクセスは、メタデータのデータベースのインタフェース設備に適用できる。
【００２５】
図４に示す様に、利用者は、インタフェース記述子．ｘｍｌを、コンボボックス４１をクリックすることで取り込むことができる。インタフェース記述子．ｘｍｌに含まれる現在の総てのカテゴリによるアクセス方法が、符号４２内に表示されている。“Ｄｅｖｅｌｏｐｅｒ  Ａｃｃｅｓｓ”方法を選択したとき、符号４３で示されるツリー表示ペーン内に、そのカテゴリの総てが表示されている。ここでは、インタフェース設備の標準的なカテゴリ入力方法が、カテゴリ表示に利用されている。各カテゴリは、符号４３内に示されているように、サブカテゴリを含むことができる。これら総てのカテゴリメッセージは、インタフェース記述子．ｘｍｌ内で定義されている。利用者は、総ての予め定義されたカテゴリをツリー表示ペーン内で閲覧することが可能である。
【００２６】
図５において、利用者は、符号５１で示すカテゴリ“Ｔｅｌｅｔｅｘｔ  Ｍｅｔａｄａｔａ”を選択し、“Ｓｅａｒｃｈ”ボタン５２を押している。総ての検索結果は、ビューペーン５３に表示されている。この場合、標準的なデータベースへのアクセス方法は、インタフェース記述子．ｘｍｌから“検索テキスト”メッセージを取り込み、種別“エレメント”として、テキストのキーワード“ＴｅｌｅＴｅｘｔＰａｇｅ”を検索している。それぞれのＸＭＬコマンドは、
・・・  ・・・
＜カテゴリ  名前＝“ＴｅｌｅＴｅｘｔ  Ｍｅｔａｄａｔａ”＞
＜検索テキスト  種別＝“エレメント”  テキスト＝“ＴｅｌｅＴｅｘｔＰａｇｅ”／＞
・・・  ・・・
＜／カテゴリ＞
である。
【００２７】
図５において、符号５４で示すカテゴリ“Ｓｐｅｃｉａｌ  Ｐａｇｅ”が選択されたとき、“Ｓｅａｒｃｈ”ボタン５５は、押せない状態となっている。これは、カテゴリ“Ｓｐｅｃｉａｌ  Ｐａｇｅ”５４がインタフェース記述子．ｘｍｌ内で、検索不可として定義されていることを意味する。それぞれのＸＭＬコマンドは、
・・・  ・・・
＜カテゴリ  名前＝“Ｓｐｅｃｉａｌ  Ｐａｇｅ”＞
＜検索テキスト  種別＝“なし”  テキスト＝“”／＞
・・・  ・・・
＜／カテゴリ＞
である。
【００２８】
更に、利用者は、符号５６で示すカテゴリ“Ｐａｇｅ１００”で検索できる。この場合、インタフェース記述子．ｘｍｌ内で定義されたとおり、総てのテレテキストメタデータの属性“ＰａｇｅＮｏ”から、種別“値”のキーワード“１００”で検索する。検索結果は、ビューペーン５７に表示されている。それぞれのＸＭＬコマンドは、
・・・  ・・・
＜カテゴリ  名前＝“Ｐａｇｅ  １００”＞
＜検索テキスト  種別＝“属性”  テキスト＝“ＰａｇｅＮｏ”／＞
＜検索テキスト  種別＝“値”  テキスト＝“１００”／＞
＜／検索テキスト＞
＜／カテゴリ＞
・・・  ・・・
である。
【００２９】
図６に示す様に、利用者は、符号６１で示すカテゴリ“Ｐａｇｅ１００−１０９”で検索可能である。この場合、インタフェース記述子．ｘｍｌで定義されたとおり、一連の“検索テキスト”により１０回の単一の検索を結合した検索が開始される。検索設備は、番号１００から１０９のテレテキストのページを検索する。総ての検索結果は、ビューペーン６２に表示される。それぞれのＸＭＬコマンドは、
・・・  ・・・
＜カテゴリ  名前＝“Ｐａｇｅ１００−１０９”＞
＜検索テキスト検索  種別＝“属性”  テキスト＝”ＰａｇｅＮｏ”／＞
＜検索テキスト  種別＝“値”  テキスト＝”１００”／＞
＜／検索テキスト＞
＜検索テキスト検索  種別＝“属性”  テキスト＝”ＰａｇｅＮｏ”／＞
＜検索テキスト  種別＝“値”  テキスト＝”１０１”／＞
＜／検索テキスト＞
＜検索テキスト検索  種別＝“属性”  テキスト＝”ＰａｇｅＮｏ”／＞
＜検索テキスト  種別＝“値”  テキスト＝”１０２”／＞
＜／検索テキスト＞
＜検索テキスト検索  種別＝“属性”  テキスト＝”ＰａｇｅＮｏ”／＞
＜検索テキスト  種別＝“値”  テキスト＝”１０３”／＞
＜／検索テキスト＞
＜検索テキスト検索  種別＝“属性”  テキスト＝”ＰａｇｅＮｏ”／＞
＜検索テキスト  種別＝“値”  テキスト＝”１０４”／＞
＜／検索テキスト＞
＜検索テキスト検索  種別＝“属性”  テキスト＝”ＰａｇｅＮｏ”／＞
＜検索テキスト  種別＝“値”  テキスト＝”１０５”／＞
＜／検索テキスト＞
＜検索テキスト検索  種別＝“属性”  テキスト＝”ＰａｇｅＮｏ”／＞
＜検索テキスト  種別＝“値”  テキスト＝”１０６”／＞
＜／検索テキスト＞
＜検索テキスト検索  種別＝“属性”  テキスト＝”ＰａｇｅＮｏ”／＞
＜検索テキスト  種別＝“値”  テキスト＝”１０７”／＞
＜／検索テキスト＞
＜検索テキスト検索  種別＝“属性”  テキスト＝”ＰａｇｅＮｏ”／＞
＜検索テキスト  種別＝“値”  テキスト＝”１０８”／＞
＜／検索テキスト＞
＜検索テキスト検索  種別＝“属性”  テキスト＝”ＰａｇｅＮｏ”／＞
＜検索テキスト  種別＝“値”  テキスト＝”１０９”／＞
＜／検索テキスト＞
・・・  ・・・
＜／カテゴリ＞
・・・  ・・・
である。
【００３０】
このように、カテゴリによるデータベースへのアクセスのためのインタフェース記述子は、より複雑なデータアクセス法を可能とする。
【００３１】
検索キーワードといった総ての関連する辞書エレメントは、インタフェース記述子に含まれているので、本発明によるインタフェース記述子は独立して動作可能である。更に、インタフェース記述子は、データベースに直接アクセスでき、更なるカテゴリ定義辞書を必要としない。
【図面の簡単な説明】
【００３２】
【図１】従来技術の予め定義したカテゴリによるデータベースアクセスの概略図である。
【図２】本発明のインタフェース記述子に基づく予め定義したカテゴリによるデータベースアクセスの概略図である。
【図３】インタフェース記述子の基本設計図である。
【図４】インタフェース記述子を表示するグラフィカルユーザインタフェースを示す図である。
【図５】検索のためのグラフィカルユーザインタフェースを示す図である。
【図６】組合せ検索のためのグラフィカルユーザインタフェースを示す図である。
【符号の説明】
【００３３】
１  データベース
２  インタフェース設備
３  グラフィカルユーザインタフェース
４  表示方法
４１、４２  コンボボックス
４３  ペーン
５  カテゴリ項目
５１  “Ｔｅｌｅｔｅｘｔ  Ｍｅｔａｄａｔａ”カテゴリ
５２、５５  “Ｓｅａｒｃｈ”ボタン
５３、５７、６２  ビューペーン
５４  “Ｓｐｅｃｉａｌ  Ｐａｇｅ”カテゴリ
５６  “Ｐａｇｅ１００”カテゴリ
６  データベースアクセス方法
６１  “Ｐａｇｅ１００−１０９”カテゴリ
７  特別なデータベースアクセス方法
【図１】
2006513470.tif 000003
【図２】
2006513470.tif 000004
【図３】
2006513470.tif 000005
【図４】
2006513470.tif 000006
【図５】
2006513470.tif 000007
【図６】
2006513470.tif 000008
【手続補正書】
【提出日】平成16年11月19日(2004.11.19)
【手続補正１】
【補正対象書類名】特許請求の範囲
【補正対象項目名】全文
【補正方法】変更
【補正の内容】
【特許請求の範囲】
【請求項１】
データベース（１）の検索基準を定義する少なくとも１つのカテゴリ項目を提示（４）するステップと、
前記少なくとも１つのカテゴリ項目から１つ以上を選択するステップと、
記選択した１つ以上のカテゴリ項目により前記データベース（１）を検索（６）するステップと、
を有し、インタフェース設備（２）を用いたデータベース（１）へのアクセス方法において、
データベース（１）及びインタフェース設備（２）とは独立しているインタフェース記述子の手段（８）により、前記少なくとも１つのカテゴリ項目を提供し、前記インタフェース記述子の手段（８）は、データベース（１）又はインタフェース設備（２）の更新なしに更新可能であることを特徴とするデータベースアクセス方法。
【請求項２】
前記インタフェース記述子の手段（８）は、標準的なプログラミング言語で記述されたソフトウェアユニットである請求項１に記載の方法。
【請求項３】
前記標準的なプログラミング言語は、ＸＭＬである請求項２に記載の方法。
【請求項４】
複数のカテゴリ項目が提供され、前記複数のカテゴリ項目の少なくとも１つのカテゴリ項目が、１つ以上のサブカテゴリ項目を含む請求項１から３のいずれか１項に記載の方法。
【請求項５】
前記少なくとも１つのカテゴリ項目は、結合した検索基準を含む請求項１から４のいずれか１項に記載の方法。
【請求項６】
前記データベースは、メタデータのデータベースである請求項１から５のいずれか１項に記載の方法。
【請求項７】
データベース（１）の検索基準を定義する少なくとも１つのカテゴリ項目を提示（４）する表示手段と、
前記少なくとも１つのカテゴリ項目から１つ以上を選択するために、前記表示手段に連結する選択手段と、
前記選択した１つ以上のカテゴリ項目によりデータベース（１）を検索（６）するために、選択手段と連結する検索手段と、
を有し、インタフェース設備（２）を用いたデータベースへのアクセス装置において、
前記表示手段は、前記少なくとも１つのカテゴリ項目を提供し、データベース（１）及びインタフェース設備（２）とは独立しているインタフェース記述子の手段（８）に接続可能であり、前記インタフェース記述子の手段（８）は、データベース（１）又はインタフェース設備（２）の更新なしに更新可能であることを特徴とするアクセス装置。
【請求項８】
前記インタフェース記述子の手段は、標準的なプログラミング言語で記述されたソフトウェアユニットである請求項７に記載の装置。
【請求項９】
前記標準的なプログラミング言語は、ＸＭＬである請求項８に記載の装置。
【請求項１０】
前記外部のインタフェース記述子の手段（８）は、検索基準として複数のカテゴリ項目を含み、前記複数のカテゴリ項目の少なくとも１つのカテゴリ項目が、１つ以上のサブカテゴリ項目を含む請求項７から９のいずれか１項に記載の装置。
【請求項１１】
前記少なくとも１つのカテゴリ項目は、結合した検索基準を含む請求項７から１０のいずれか１項に記載の装置。
【請求項１２】
前記データベースは、メタデータのデータベースである請求項７から１１のいずれか１項に記載の装置。
【国際調査報告】
2006513470.tif 000009
2006513470.tif 000010
2006513470.tif 000011